(57)【要約】      （修正有）【課題】ポケット内へ土が落ちないようにグリーンフォークにカバーを付けるようにしたカバー付グリーンフォークを提供する。【解決手段】グリーンフォークやティーに袋状のカバーを付けると共に、カバーの口に相対向する２枚の板バネを付け、カバーを片手で持ったまま、簡単な操作で短時間にグリーンフォークやティーをカバーから出し入れすることができる。【選択図】図１
0003142559.tif 000002
【実用新案登録請求の範囲】
【請求項１】
ゴルフ用のグリーンフォーク（又はティー）において、プレー中に土の付着する部分に袋状のカバーを付けたことを特徴とするカバー付グリーンフォーク（又はカバー付ティー）。
【請求項２】
請求項１において、カバーの口には２枚の板バネを相対向させて取り付け、２枚の板バネの両端を蝶番で結合し、通常は２枚の板バネがお互いに接触するように閉じていて、両方の蝶番の外側からカバー口部の中心方向へ押さえることにより、板バネが外側へ湾曲し、口を開くことのできるカバーを付けたことを特徴とするカバー付グリーンフォーク（又はカバー付ティー）。
【請求項３】
請求項２において、カバー口に取り付けた２枚の板バネの間の中央部には、グリーンフォーク（又はティー）を挿入してカバーを閉じた時にグリーンフォーク（又はティー）が板バネに当たる位置の断面積よりやや小さめの開口部を設ける、又はやや大きめの開口部を設けてクッション材などを貼り付けることにより、カバーを閉めた時にグリーンフォーク（又はティー）を２枚の板バネで軽く押さえた構造にしたことを特徴とするカバー付グリーンフォーク（又はカバー付ティー）。
【請求項４】
請求項３において、カバー口中央に設けた開口部の大きさを、グリーンフォーク（又はティー）が板バネに当たる位置の断面積と同等にして、グリーンフォーク（又はティー）の板バネに当たる位置のやや奥部に突起を設ける、又はグリーンフォーク（又はティー）の板バネに当たる部分を奥行方向に幅広となるテーパ形状にして、抜けない構造にしたことを特徴とするカバー付グリーンフォーク（又はカバー付ティー）。
【考案の詳細な説明】
【技術分野】
【０００１】この考案は、ゴルフのプレー中に、グリーンへボールが落下してできた窪みを修復するためのグリーンフォークや、ティーグラウンドで球をティーアップするためのティーにカバーを付けた構造に関するものである。
【背景技術】
【０００２】従来のグリーンフォーク、又はティーは金属、又は樹脂などにより形成され、使用後はそのままの状態でズボンのポケットなどに入れて持ち運ばれていた。
（以下、ティーは省略し、グリーンフォークを代表にして説明する）
【考案の開示】
【考案が解決しようとする課題】
【０００３】しかしながら、以上の技術によれば、グリーンフォークに付着した土を軽く手で払う程度でポケットに入れるため、グリーンフォークを使う度に付着した土がポケットの中に溜まり、ポケット内が汚れていた。特に、雨の日などグリーンの土が湿っている場合には、ひどい汚れになった。
そこで、この考案は、ポケット内へ土が落ちないようにグリーンフォークにカバーを付けるようにしたカバー付グリーンフォークを提供することを課題とする。
【課題を解決するための手段】
【０００４】以上の課題を解決するために、第一考案は、グリーンフォークの土の付着する部分へ袋状のカバーを付けたことを特徴とするグリーンフォークである。
また、第二考案は、カバーの口に板バネなどを用いて簡単な操作で瞬時に開閉できるようにしたことを特徴とするグリーンフォークである。
【考案の効果】
【０００５】第一考案、または第二考案によれば、グリーンフォークをポケットに入れる前に、土が付着した部分をカバーへ差し込むことにより、グリーンフォークへ付着した土が落下してもカバー内へ溜まるため、ポケット内が汚れることはなくなった。
また、板バネで閉められているカバーの口部は、カバーを片手で持ったまま開けることができ、簡単な操作で瞬時にグリーンフォークを出し入れできるので、ゴルフのプレーにおいて支障になることもない。
【考案を実施するための最良の形態】
【０００６】この考案の一実施形態を、図１及び図３に示す。
グリーンフォーク自体は、金属又は樹脂などでフォーク状に形成されたものを使用する。
グリーンフォークのカバーはビニールなどの柔らかい材質を用いて袋状に形成し、袋はグリーンフォークを先端から差し込んだ状態で、土の付着する部分が隠れるまでの深さとする。
カバーの口部には相対する板バネを取り付け、２枚の板バネは両端を蝶番で結合されている。板バネの両端を、蝶番の外側からカバー口部の中心方向へ向かって押し付けると、カバーを開けることができる。
板バネは薄い金属材料の他、弾力性のある樹脂の成形により形成することもできる。
さらに、２枚の相対する板バネの間には、グリーンフォークをカバーに差し込んだ状態で、グリーンフォークが板バネに当る位置の断面積よりやや小さめの開口部を設け、グリーンフォークが抜けないように板バネで押さえている。
「実施形態の効果」【０００７】この実施形態によれば、例えばグリーンでグリーンフォークを使用した後に、片手でカバーの両端を外側から押さえて口を開け、もう一方の手でグリーンフォークをカバーの奥まで入れながらカバーの両端の押さえを解くことにより、グリーンフォークの土の付着した部分はカバー内に収まったまま固定できるものである。
この状態でポケットに入れれば、ポケットの中が土で汚れることはない。【０００８】「他の実施形態」
図１及び図３の実施形態では、板バネの間に、グリーンフォークを差し込んだ状態でグリーンフォークの当る位置の断面積よりやや小さめの開口部を設け、グリーンフォークが抜けないように板バネで押さえていたが、図４に示すように開口部の内側にゴムやスポンジなどのクッション材を貼り付けることにより、グリーンフォークを固定する構造でも同様の効果を得ることができる。
また、図９〜１１に示すようにグリーンフォークの板バネに当る部分の直ぐ奥側に突起を設けるか、又は図１２〜１４に示すようにグリーンフォークの板バネに当る部分の奥側をやや幅広にしたテーパ形状にして、グリーンフォークが抜ける方向に引っ掛かりをつけた形状にすることにより同様の効果を得ることができる。
【図面の簡単な説明】
【０００９】
【図１】この考案の一実施形態の組合せ状態を示す正面図と、側面図である。
【図２】従来技術を示す正面図と、側面図、平面図である。
【図３】この考案の一実施形態の構成部品を示す正面図と、側面図、平面図である。
【図４】他の実施形態の構成部品を示す正面図と、側面図、平面図である。
【図５】この考案の一実施形態の組合せ状態を示す正面図と、側面図である。
【図６】この考案の一実施形態の構成部品を示す正面図と、平面図である。
【図７】この考案の一実施形態の構成部品を示す正面図と、平面図である。
【図８】従来技術を示す正面図である。
【図９】他の実施形態の組合せ状態を示す正面図と、側面図である。
【図１０】他の実施形態の構成部品を示す正面図と、側面図、平面図である。
【図１１】他の実施形態の構成部品を示す正面図と、側面図、平面図である。
【図１２】さらに、他の実施形態の組合せ状態を示す正面図と、側面図である。
【図１３】さらに、他の実施形態の構成部品を示す正面図と、側面図、平面図である。
【図１４】さらに、他の実施形態の構成部品を示す正面図と、側面図、平面図である。
【符号の説明】
【００１０】１  グリーンフォーク
２  カバー
３  板バネ
４  板バネ蝶番部
５  板バネの成形リブ
６  板バネ開口部
７  クッション材
８  ティー
９  ティーの突起
１０  グリーンフォークの突起
１１  グリーンフォークのテーパ部
【図１】
0003142559.tif 000003
【図２】
0003142559.tif 000004
【図３】
0003142559.tif 000005
【図４】
0003142559.tif 000006
【図５】
0003142559.tif 000007
【図６】
0003142559.tif 000008
【図７】
0003142559.tif 000009
【図８】
0003142559.tif 000010
【図９】
0003142559.tif 000011
【図１０】
0003142559.tif 000012
【図１１】
0003142559.tif 000013
【図１２】
0003142559.tif 000014
【図１３】
0003142559.tif 000015
【図１４】
0003142559.tif 000016